(57)【要約】【課題】羽根ユニットの羽根が負圧により室外側に向けて湾曲変形することを抑制できるガラリ戸とする。【解決手段】枠体２の縦枠２ａ（羽根ユニット連結枠材）の内側面の室内側寄りと羽根ユニット３の縦のアタッチメント４（アタッチメント）の外側面の室内側寄りを連結機構６で連結し、縦のアタッチメント４の内側面の室外側寄りに突部４０を縦枠２ａの内側面に向けて設け、突部４０と縦枠２ａの内側面との間の隙間を、縦枠２ａの内側面と縦のアタッチメント４の外側面との間の隙間よりも小さくすることで、突部４０で縦のアタッチメント４の変形を減少して羽根ユニット３の羽根５が負圧により室外側に向けて湾曲変形することを抑制する。【選択図】図４
2015194029.tif 000002
【特許請求の範囲】
【請求項１】
枠体の羽根ユニット連結枠材と羽根ユニットのアタッチメントを、連結機構で連結することで、枠体内に羽根ユニットを取り付けたガラリ戸であって、
前記連結機構は、前記羽根ユニット連結枠材の面外方向の一方側寄りと前記アタッチメントの面外方向の一方側寄りとに枠体の面外方向の他方側から連結及び連結解除が可能に設けられ、
前記アタッチメントの面外方向の他方側寄りに、突部を、前記羽根ユニット連結枠材の面内方向の内側面と対向して有することを特徴とするガラリ戸。
【請求項２】
前記突部は、面内方向の外側に向かい、かつ面外方向の他方側に向けて傾斜したガイド面を有する請求項１記載のガラリ戸。
【請求項３】
前記連結機構は、前記羽根ユニット連結枠材に、当該羽根ユニット連結枠材の面内方向の内側に向けて突出して設けた被連結部と、前記アタッチメントに、当該アタッチメントの面内方向の外側に向けて突出して設けた連結部を有し、
前記連結部は前記被連結部に、枠体の面外方向の他方側から連結及び連結解除可能である請求項１又は２記載のガラリ戸。
【請求項４】
前記被連結部は、鍔部を有した軸を備え、
前記連結部は、開口幅が溝幅よりも小さく、前記開口幅は前記鍔部よりも小さく、前記溝幅は前記鍔部よりも大きく、前記アタッチメントの長さ方向に連続した溝を備え、
前記溝を形成する面外方向の一方側部に、前記軸の鍔部が挿通する切欠部を有している請求項３記載のガラリ戸。
【請求項５】
前記アタッチメントは、面外方向の最も他方側に、前記連結機構および突部を覆うように面内方向の外側に向けて突出するカバー面を有した請求項１〜４いずれか１項記載のガラリ戸。
【請求項６】
前記ガラリ戸を複数有し、前記複数のガラリ戸の枠体における隣接した２つの羽根ユニット連結枠材を連結枠材で連結し、
前記隣接した２つの羽根ユニット連結枠材の面外方向の他方側寄りをシール材でシールし、
前記シール材よりも面外方向の一方側寄りに前記連結機構を設けた請求項１〜５いずれか１項記載のガラリ戸。
【発明の詳細な説明】
【技術分野】
【０００１】
本発明は、枠体に羽根ユニットを取り付けたガラリ戸に関する。
【背景技術】
【０００２】
ガラリ戸が特許文献１に開示されている。
このガラリ戸は、上枠と下枠と左右の縦枠を連結した枠体に、複数の羽根（ガラリ羽根）を有した羽根ユニットを取り付けたものである。
羽根ユニットが特許文献２に開示されている。
この羽根ユニットは、左右の縦アタッチメント（縦枠）に複数の羽根を取り付けたものである。
【先行技術文献】
【特許文献】
【０００３】
【特許文献１】特開平５−２０２６７８号公報
【特許文献２】実開昭６３−１１１５８９号公報
【発明の概要】
【発明が解決しようとする課題】
【０００４】
ガラリ戸は、建物外壁に、建物外壁の給排気口を覆うように取り付けることがある。
このガラリ戸は、長期間の使用により羽根ユニットが汚れるので、羽根ユニットを枠体から取り外し、清掃することがある。
建物外壁に給排気口を覆うように取り付けたガラリ戸は、ガラリ戸の建物内部（室内側）にダクト等が存在するので、羽根ユニットは建物外部（室外側）から取り外し、清掃することになる。
そこで、特許文献２に開示された羽根ユニットを、枠体に、室外側から取り外しできるように取り付けるには、枠体の縦枠の面内方向の内側である内側面と羽根ユニットの縦アタッチメントの面内方向の外側である外側面との間に連結機構を設けることになるから、枠体の縦枠の内側面と羽根ユニットの縦アタッチメントの外側面とが連結機構の面内方向の大きさだけ離隔し、枠体の縦枠の内側面と羽根ユニットの縦アタッチメントの外側面との間に隙間が生じる。
【０００５】
一方、強風時に羽根ユニットの羽根に負圧が作用すると、羽根は、縦アタッチメントを縦枠の内側面に向けて変形しながら室外側に向けて円弧形状に湾曲変形する。
このために、前述したように、羽根ユニットを枠体に室外側から取り外しできるように取り付けたガラリ戸は、強風時に羽根ユニットの羽根に負圧が作用したときに、縦アタッチメントが縦枠の内側面に干渉するまで変形するから、羽根は室外側に向けて大きく湾曲変形し、羽根が損傷などすることがある。
【０００６】
本発明は、前述の課題に鑑みなされたものであり、その目的は、羽根ユニットを枠体の室外側から取り外し及び取り付けできると共に、羽根ユニットの羽根が負圧により室外側に向けて湾曲変形することを抑制できるガラリ戸とすることである。
【課題を解決するための手段】
【０００７】
本発明のガラリ戸は、枠体の羽根ユニット連結枠材と羽根ユニットのアタッチメントを、連結機構で連結することで、枠体内に羽根ユニットを取り付けたガラリ戸であって、
前記連結機構は、前記羽根ユニット連結枠材の面外方向の一方側寄りと前記アタッチメントの面外方向の一方側寄りとに枠体の面外方向の他方側から連結及び連結解除が可能に設けられ、
前記アタッチメントの面外方向の他方側寄りに、突部を、前記羽根ユニット連結枠材と対向して有することを特徴とするガラリ戸である。
【０００８】
本発明のガラリ戸は、前記突部は、面内方向の外側に向かい、かつ面外方向の他方側に向けて傾斜したガイド面を有するものにできる。
このようにすれば、突部のガイド面が羽根ユニット連結枠材の面内方向の内側面に接することで、羽根ユニットは面内方向に変位するから、羽根ユニットを枠体内に挿入する作業がやり易い。
【０００９】
本発明のガラリ戸は、前記連結機構は、前記羽根ユニット連結枠材に、当該羽根ユニット連結枠材の面内方向の内側に向けて突出して設けた被連結部と、前記アタッチメントに、当該アタッチメントの面内方向の外側に向けて突出して設けた連結部を有し、
前記連結部は前記被連結部に、枠体の面外方向の他方側から連結及び連結解除可能であるものにできる。
【００１０】
本発明のガラリ戸は、前記被連結部は、鍔部を有した軸を備え、
前記連結部は、開口幅が溝幅よりも小さく、前記開口幅は前記鍔部よりも小さく、前記溝幅は前記鍔部よりも大きく、前記アタッチメントの長さ方向に連続した溝を備え、
前記溝を形成する面外方向の一方側部に、前記軸の鍔部が挿通する切欠部を有しているものにできる。
このようにすれば、羽根ユニットを枠体の室外側から切欠部を鍔部に合わせて枠体内に挿入することで、溝と鍔部を嵌め合い、羽根ユニットをアタッチメントの長さ方向に移動して切欠部と鍔部をアタッチメントの長さ方向にずらすことで羽根ユニットを枠体内に取り付けできる。
【００１１】
本発明のガラリ戸は、前記アタッチメントは、面外方向の最も他方側に、前記連結機構および突部を覆うように面内方向の外側に向けて突出するカバー面を有したものにできる。
このようにすれば、連結機構、突部が室外側から見えず意匠性が高い。
【００１２】
本発明のガラリ戸は、前記ガラリ戸を複数有し、前記複数のガラリ戸の枠体における隣接した２つの羽根ユニット連結枠材を連結枠材で連結し、
前記隣接した２つの羽根ユニット連結枠材の面外方向の他方側寄りをシール材でシールし、
前記シール材よりも面外方向の一方側寄りに前記連結機構を設けたものにできる。
このようにすれば、隣接した２つの羽根ユニット連結枠材のシール材でシールした室外側寄りの面内方向の寸法を小さくして室外側からの見栄えを良くできる。
【発明の効果】
【００１３】
本発明のガラリ戸によれば、羽根ユニットを枠体の室外側から取り外し及び取り付けできる。
羽根ユニットのアタッチメントに設けた突部が羽根ユニット連結枠材の内側面に干渉することで、羽根ユニットの羽根が負圧により室外側に向けて湾曲変形することを抑制できる。
羽根ユニットのアタッチメントの面内方向の外側面と羽根ユニット連結枠材の面内方向の内側面との間に、連結機構を設ける隙間を確保できる。
【図面の簡単な説明】
【００１４】
【図１】ガラリ戸の第１の実施形態を示す内観図である。
【図２】図１の横断面図である。
【図３】図１の縦断面図である。
【図４】図２のＡ部拡大図である。
【図５】図４の連結機構による連結部の拡大図である。
【図６】連結機構による連結部の分解斜視図である。
【図７】羽根ユニットの取り付け動作の説明図である。
【図８】羽根ユニットの取り付け動作の説明図である。
【図９】羽根ユニットの取り付け動作の説明図である。
【図１０】ガラリ戸の第２の実施形態を示す内観図である。
【図１１】縦中骨部分の拡大横断面図である。
【図１２】ガラリ戸の第３の実施形態を示す内観図である。
【図１３】方立部分の拡大横断面図である。
【発明を実施するための形態】
【００１５】
図１は、本発明のガラリ戸の実施形態を示す内観図で、ガラリ戸１は、枠体２と、枠体２内に取り付けた羽根ユニット３を備えている。以下の説明において、ガラリ戸１を建物に取り付けた状態で室内外側方向に向かう方向を面外方向とし、ガラリ戸１の面外方向と直角の方向を面内方向として説明する。
枠体２は、羽根ユニット３が連結される面内方向に対向した２つの羽根ユニット連結枠材である左右の縦枠２ａ，２ａと、羽根ユニット連結枠材を連結する面内方向に対向した２つの枠材である上枠２ｂ、下枠２ｃとで方形枠形状である。
羽根ユニット３は、一対のアタッチメント４，４と、一対のアタッチメント４間に渡り取り付けた複数の羽根５を備えている。
羽根ユニット３は、一対のアタッチメント４，４を羽根ユニット連結枠材（縦枠２ａ）に後述する連結機構６で連結することで、枠体２内に取り付けてある。
実施形態では、一対のアタッチメント４は縦のアタッチメントで、その縦のアタッチメントを縦枠２ａに連結機構６で連結されている。これにより、羽根５は上枠２ｂ、下枠２ｃと平行で、横型の羽根ユニット３としてある。なお、以下の説明では、アタッチメント４を縦のアタッチメント４とする。
【００１６】
図２と図３に示すように、一対の縦枠２ａと上枠２ｂと下枠２ｃは、面外方向に向かう本体部２０と、本体部２０の面外方向の一方側端、例えば室内側端に設けた面内方向の内側に向かう羽根ユニット当接部２１とを有する。面内方向の内側とは対向した枠に向かう側である。
【００１７】
羽根ユニット３の羽根５は、縦のアタッチメント４の面内方向の内側である内側面４ａにおける面外方向の他方側寄り、例えば室外側寄りに固着してある。羽根５は縦のアタッチメント４の長さ方向に間隔を空けて複数取り付けてある。
【００１８】
羽根５は、図３に示すように室内側が室外側より高く傾斜した平板状の板部５ａと、板部５ａの室内側端から上方に向かう上向片５ｂと、板部５ａの室外側端から下方に向かう下向片５ｃとを有している。
板部５ａの室内側端及び室外側端にビスホール５ｄを有している。
羽根５の長さ方向の両端面を縦のアタッチメント４の内側面４ａの室外側寄りに接し、縦のアタッチメント４からねじ（図示せず）をビスホール５ｄに螺合して羽根５を縦のアタッチメント４に取り付けている。
【００１９】
最上部の羽根５は、板部５ａが傾斜した板部５ａ−１と、垂直の板部５ａ−２とで逆くの字形状で、垂直の板部５ａ−２の上部に面外方向に向かう上横片５ｅを有している。
上横片５ｅは下向きコ字形状で、縦のアタッチメント４の室外側寄りの上端縁に沿って配置される。
図２に示すように、縦枠２ａの本体部２０の面外方向の一方側寄り、例えば室内側寄り（つまり、縦枠２ａの面外方向の室内側寄り）に、連結機構６の被連結部６ａが設けてある。
被連結部６ａは、本体部２０の面内方向の内側である内側面２０ａよりも面内方向の内側に突出している。本体部２０の内側面２０ａが縦枠２ａの内側面である。
羽根ユニット３の縦のアタッチメント４は、面外方向の一方側寄り、例えば室内側寄りに、連結機構６の連結部６ｂが設けてある。
連結部６ｂは、縦のアタッチメント４の面内方向の外側である外側面４ｂから面内方向外側に突出している。
【００２０】
このように、連結部６ｂは縦のアタッチメント４の外側面４ｂから面内方向外側に突出し、被連結部６ａは縦枠２ａの内側面である本体部２０の内側面２０ａから面内方向内側に突出しているので、縦枠２ａの本体部２０の内側面２０ａと縦のアタッチメント４の外側面４ｂとの間に隙間Ｓが存在する。つまり、連結機構６を設ける隙間（スペース）を確保している。
【００２１】
強風で羽根５に負圧Ｆが作用したときに、縦のアタッチメント４の室外側寄り部分を面内方向の外側に向けて変形しながら羽根５が室外側に向けて湾曲変形する。
図２に示すように、縦のアタッチメント４の面外方向の他方側寄り、例えば室外側寄りに突部４０を設ける。この突部４０は、縦のアタッチメント４の外側面４ｂから面内方向の外側に突出し、突部４０は縦枠２ａの本体部２０の内側面２０ａと対向している。突部４０と縦枠２ａの本体部２０の内側面２０ａとの間の隙間は、縦のアタッチメント４の外側面４ｂと縦枠２ａの本体部２０の内側面２０ａとの間の隙間Ｓよりも小さい。
【００２２】
このようにすることで、縦のアタッチメント４の室外側寄り部分が面内方向の外側に向けて変形することで、突部４０が縦枠２ａの本体部２０の内側面２０ａに当接し、縦のアタッチメント４の室外側寄り部分が面内方向の外側に向けてそれ以上変形することがなく、羽根５が負圧により室外側に向けて湾曲変形することを抑制することができる。
【００２３】
縦枠２ａの本体部２０の内側面２０ａと突部４０との間の隙間は、羽根ユニット３を枠体２内に室外側から取り付ける際に突部４０が邪魔にならない程度の大きさとする。
連結機構６（被連結部６ａ）は、図３に示すように、縦枠２ａ、縦のアタッチメント４の上部寄りと下部寄りにそれぞれ取り付けてある。なお、ガラリ戸１の大きさに応じて連結機構６を縦枠２ａ、縦のアタッチメント４の長さ方向の中間にも設けることができる。
連結機構６は、連結部６ｂを被連結部６ａに枠体２の室外側から連結及び連結解除できる構成である。
【００２４】
このようであるから、枠体２内に取り付けてある羽根ユニット３を、枠体２の室外側から取り外しできると共に、枠体２の室外側から羽根ユニット３を枠体２内に取り付けできる。
【００２５】
実施形態の縦枠２ａの本体部２０は、図４に示すように、面外方向室内側の室内側部２２と、室内側部２２の面外方向室外側端に設けた面外方向室外側の室外側部２３を有している。
室内側部２２は板状で、室内側部２２に被連結部６ａが取り付けてある。
室外側部２３は、ホロー部２４と、ホロー部２４の面外方向室外側端に面外方向室外側に向けて設けた突出壁２５を有している。
ホロー部２４は、室内側部２２と連続した面内方向内側の内側壁２４ａと、内側壁２４ａの面外方向室内側端に設けた面内方向の外側に向かう室内側壁２４ｂと、内側壁２４ａの面外方向室外側端に設けた面内方向の外側に向かう室外側壁２４ｃと、室内側壁２４ｂの面内方向外側端と室外側壁２４ｃの面内方向外側端を連結する面外方向に向かう外側壁２４ｄとで矩形状である。
突出壁２５は、ホロー部２４の室外側壁２４ｃに、外側壁２４ｄと連続して面外方向室外側に向けて一体に設けてある。
【００２６】
縦枠２ａの内側面２６は、室内側部２２の内側面とホロー部２４の内側壁２４ａの内側面と、室外側壁２４ｃの室外側面と、突出壁２５の内側面とより成る。
室内側部２２の内側面と内側壁２４ａの内側面とは面外方向に面一に連続し、室外側壁２４ｃの室外側面と突出壁２５の内側面は鉤形状に連続する。
これにより、縦枠２ａの内側面２６は、室内側端から室外側寄りまで連続した第１内側面２６ａと、室外側の第２内側面２６ｂを有する。第２内側面２６ｂは第１内側面２６ａよりも面内方向外側に位置する。
【００２７】
縦枠２ａの羽根ユニット取付部２１は、本体部２０の室内側部２２の面外方向室内側端に面内方向の内側に向けて設けた内向壁２７を有している。内向壁２７の面内方向内側端に、シール材装着部である面外方向の室外側に開口した凹条溝２７ａを有している。
【００２８】
縦のアタッチメント４は、面外方向室内側の室内側部４１と、室内側部４１の室外側端に面外方向の室外側に向けて設けた室外側部４２を有する。
室内側部４１は、面外方向に向かう面内方向内側の内側壁４１ａと、面外方向に向かう面内方向外側の外側壁４１ｂと、面内方向に向かう面外方向室内側の室内側壁４１ｃと、面内方向に向かう面外方向室外側の室外側壁４１ｄとでホロー４１ｅを有する形状である。
室外側部４２は、室内側部４１の外側壁４１ｂの室外側端と連続し、面外方向の室外側に向かう板状である。
室外側部４２の室外側端に面内方向の外側に向かう室外側壁４３が設けてある。
【００２９】
室内側部４１の外側壁４１ｂの外側面と室外側部４２の外側面が面一に連続し、縦のアタッチメント４の外側面４ｂである。
室外側部４２の内側面が縦のアタッチメント４の内側面４ａである。
【００３０】
図３に示すように、一対の縦のアタッチメント４の室内側部４１の上部間に渡って上枠材４５が連結され、下部間に渡って下枠材４４が連結してある。
上枠２ｂの本体部２０の室内側部における長さ方向両端寄りに係合金具２８が取り付けてある。
係合金具２８は、横片２８ａと縦片２８ｂで鉤形で、横片２８ａを上枠２ｂの本体部２０の室内側部にねじで固着して取り付けてある。
係合金具２８の縦片２８ｂは、縦のアタッチメント４の室内側部４１のホロー４１ｅ内に嵌合している。
【００３１】
突部４０は、面外方向の室外側に向けて傾斜した面内方向に向かうガイド面４０−１を有している。
実施形態では、突部４０は、室外側部４２の面内方向の外側面４ｂに設けた面内方向の外側に向かう基片４０ａと、基片４０ａの面内方向の外側端に設けた面内方向の外側に向かう中間片４０ｂと、中間片４０ｂの面内方向の外側端に設けた面外方向の室外側に向かう先片４０ｃとで鉤形状である。
基片４０ａは室外側部４２の外側面４ｂと直角である。
中間片４０ｂは室外側部４２の外側面４ｂに対して室外側に向けてほぼ４５°に傾斜し、中間片４０ｂの面外方向の室内側面がガイド面４０−１である。
【００３２】
このようであるから、羽根ユニット３を枠体２内に挿入するときに、突部４０のガイド面４０−１が縦枠２ａの内側面２６に接触し、突部４０は羽根ユニット３を枠体２内に挿入する際にガイドの役目を果たすので、羽根ユニット３を枠体２内に挿入し易い。
【００３３】
連結機構６の被連結部６ａは、軸６０を有する。
軸６０は、図５に示すように、ねじ部６１と、ねじ部６１よりも大径の軸部６２と、軸部６２よりも大径の鍔部６３を有している。
ねじ部６１を縦枠２ａの室内側部２２のねじ孔２２ａに螺合し、軸部６２を室内側部２２の内側面２２ｂに接して軸６０を室内側部２２に取り付けてある。
【００３４】
連結機構６の連結部６ｂは、面内方向の外側に開口した溝６５を有する。
溝６５は、図５に示すように開口部６５ａの面外方向の寸法である開口幅Ｗ１が溝６５の面外方向の寸法である溝幅Ｗ２よりも小さいあり溝形状である。
軸６０の鍔部６３の径は開口幅Ｗ１よりも大きく、溝幅Ｗ２よりも小さい。
軸６０の軸部６２の径は開口幅Ｗ１よりも小さい。
実施形態では、縦のアタッチメント４の室内側部４１の外側壁４１ｂの面内方向外側面に室内側鉤形片６６と室外側鉤形片６７を長さ方向に連続して有する。室内側鉤形片６６は室外側に向かう鉤形状で、室外側鉤形片６７は室内側に向かう鉤形状である。
そして、室内側鉤形片６６と室外側鉤形片６７と外側壁４１ｂとで溝６５を形成している。
【００３５】
図６に示すように、溝６５を形成する室内側鉤形片６６には、軸６０の鍔部６３が挿通する切欠部６８が形成してある。
切欠部６８の室内側鉤形片６６の長さ方向の位置は、羽根ユニット３を枠体２内に取り付けた状態で、切欠部６８が軸６０と長さ方向に離隔する位置である。
つまり、羽根ユニット３を枠体２内に取り付けるときには、切欠部６８を軸６０と合致させ、羽根ユニット３を室内側に移動することで溝６５内に軸６０の鍔部６３を挿入する。
この後に、羽根ユニット３を縦のアタッチメント４の長さ方向に移動することで、羽根ユニット３を枠体４内に取り付ける。
この状態では、溝６５の切欠部６８と軸６０とが縦のアタッチメント４の長さ方向に位置がずれ、溝６５内に鍔部６３が嵌まり合い、縦のアタッチメント４を縦枠２ａに対して面外方向及び面内方向に変位しないように連結する。
【００３６】
実施形態では、図３に示すように、縦のアタッチメント４の下端面４ｃが下枠２ｃの本体部２０の面内方向の内側面２０ａ（下枠２ｃの上面）に載置することで、羽根ユニット３が枠体２内に取り付けられる。
この状態で、溝６５の切欠部６８は軸６０の鍔部６３よりも下方に位置し、切欠部６８と鍔部６３は上下方向に位置がずれている。
【００３７】
次に、羽根ユニット３を枠体２に取り付ける作業を説明する。
枠体２の室外側に羽根ユニット３を、上部が下部よりも室内側となるように斜めの姿勢として配置する。
羽根ユニット３を枠体２内に向けて矢印ａで示すように、斜め上方に向けて移動し、枠体２内に挿入することで、図７に示すように、縦のアタッチメント４の室内側部４１のホロー４１ｅを上枠２ｂに取り付けた係合金具２８の縦片２８ｂに嵌合する。
このとき、羽根ユニット３が枠体２に対して左右に位置がずれた場合には、縦のアタッチメント４の突部４０のガイド面４０−１が縦枠２ａの内側面２６（第１内側面２６ａ）に接し、羽根ユニット３の位置ずれを修正しながら羽根ユニット３を枠体２内に挿入できるので、羽根ユニット３を枠体２内に挿入する作業がやり易く、羽根ユニット３の枠体２内への挿入性が向上する。
【００３８】
この後、羽根ユニット３を、縦のアタッチメント４の室内側部４１のホロー４１ｅの内面を、係合金具２８の縦片２８ｂに沿って滑らせながら矢印ｂ方向に移動し、図８に示すように溝６５を形成する室内側鉤片６６の切欠部６８を軸６０の鍔部６３と同一高さとする。
羽根ユニット３を、さらに移動し、図９に示すように鍔部６３を溝６５内に入れる。この状態では縦のアタッチメント４の下端面４ｃと下枠２ｃの本体部２０の内側面２０ａとは離れている。
次いで、羽根ユニット３を下方に移動して図３に示すように、縦のアタッチメント４の下端面４ｃを、下枠２ｃの本体部２０の内側面２０ａに載置する。
これにより、切欠部６８は鍔部６３よりも下方に移動し、鍔部６３は溝６５内に面外方向及び面内方向に変位して外れないように嵌まり合う。
【００３９】
このようであるから、羽根ユニット３を枠体２内に、枠体２の面外方向の室外側から容易に取り付けできる。
【００４０】
次に、羽根ユニット３を枠体２から取り外しする作業を説明する。
枠体２の面外方向の室外側から羽根ユニット３を上方に移動し、溝６５を形成する室内側鉤片６６の切欠部６８を軸６０の鍔部６３と同一高さとする。
羽根ユニット３を、その羽根ユニット３の下部を室外側に移動して羽根ユニット３を斜めの姿勢とすることで、切欠部６８を通して溝６５を鍔部６３から抜き出す。
次いで、羽根ユニット３を斜め下方に移動して羽根ユニット３を枠体２から取り出し、羽根ユニット３を枠体２から取り外しする。
【００４１】
このようであるから、枠体２の室外側から羽根ユニット３を簡単に取り外しすることができる。
【００４２】
実施の形態のガラリ戸１は、図２、図４に示すように、縦枠２ａの室外側に突出壁２５を有し、その突出壁２５は板状である。縦のアタッチメント４の室外側壁４３は縦枠２ａの第１の内側面２６ａよりも面内方向の外側に突出し、室外側壁４３と突出壁２５との間の隙間を小さくする。また、縦のアタッチメント４の室外側壁４３は、縦枠２ａの本体部２０の内側面２０ａと縦のアタッチメント４の外側面４ｂとの間に生じる隙間Ｓを室外側から覆うように形成されている。
これにより、ガラリ戸１は、羽根ユニット３を簡単に連結解除自在な連結機構を備えると共に、意匠性に優れたスリムな外観をなす。
縦のアタッチメント４の室外側壁４３は隙間Ｓを覆うので、室外側壁４３は連結機構６および突部４０を覆う。つまり、室外側壁４３は連結機構６および突部４０を覆うカバー面である。
これにより、ガラリ戸１は室外側から突部４０、連結機構６が見えず意匠性が良い。
【００４３】
実施形態のガラリ戸１は、横型の羽根ユニット３としてあるが、縦型の羽根ユニットを有するガラリ戸とすることもできる。
例えば、図１に示すガラリ戸１を９０°回転し、２つの羽根ユニット連結枠材を上枠、下枠とし、アタッチメントを横のアタッチメントとする。
【００４４】
次に、ガラリ戸の第２の実施形態を説明する。
図１０に示すように、枠体２は複数の枠部を有し、各枠部に羽根ユニット３をそれぞれ取り付け、枠体２内に複数の羽根ユニット３を有するガラリ戸１としてある。
実施形態では、枠体２は仕切り枠材である縦中骨２ｄで第１枠部２−１と第２枠部２−２を有している。縦中骨２ｄは上枠２ｂの長さ方向中間と下枠２ｃの長さ方向中間に渡って取り付けてある。
第１枠部２−１に第１羽根ユニット３−１を取り付け、第２枠部２−２に第２羽根ユニット３−２を取り付けてある。
【００４５】
図１１に示すように、縦中骨２ｄは面外方向に向かう本体７０と、本体７０の面外方向の室内側端に設けた面内方向に向かう第１羽根ユニット当接部７１と第２羽根ユニット当接部７２を有する。
本体７０は面外方向に向かう第１壁７０ａ、第２壁７０ｂと、面内方向に向かう室内側壁７０ｃと、室外側壁７０ｄとでホロー７０ｅを有するホロー形状である。
第１壁７０ａ、第２壁７０ｂの面外方向の室内側寄りに被連結部６ａ（軸６０）がそれぞれ取り付けてある。
【００４６】
第１羽根ユニット３−１の縦のアタッチメント４、第２羽根ユニット３−２の縦のアタッチメント４は、ホロー４１ｅを有した室内側部４１と、板状の室外側部４２を有している。
室内側部４１の外側壁４１ｂに連結部６ｂ（溝６５）が設けてある。
【００４７】
縦中骨２ｄの本体７０は、室内側壁７０ｃに面外方向の室内側に突出した補強部７３を有している。
補強部７３はカバー７４で覆っている。
第１羽根ユニット当接部７１と第２羽根ユニット当接部７２には係止受片７５が室内側に突出しそれぞれ有している。
各係止受片７５にカバー７４の両側片７４ａを係合してカバー７４を取り付けてある。
なお、縦中骨２ｄは、補強部７３を有していないものとすることができる。この場合には、カバー７４及び係止受片７５は不要である。
【００４８】
図１０、図１１に示すガラリ戸１は、枠体２を縦中骨２ｄで左右に２つに区分した連窓タイプとしたが、枠体２を仕切り枠材である無目で上下に２つに区分し、上下の第１枠部、第２枠部に第１羽根ユニット、第２羽根ユニットをそれぞれ取り付けて段窓タイプのガラリ戸とすることもできる。
【００４９】
次に、ガラリ戸の第３の実施形態を説明する。
図１２に示すように、複数のガラリ戸１を連結枠材である方立８で連結してガラリ戸としてある。
実施形態では、第１ガラリ戸１−１と第２ガラリ戸１−２を有している。
第１ガラリ戸１−１の枠２と第２ガラリ戸１−２の枠２の隣接した縦枠２ａ−１，２ａ−１を方立８で連結して連窓のガラリ戸としてある。
【００５０】
隣接した縦枠２ａ−１は図１３に示すように、板状の本体部２０と羽根ユニット当接部２１と室内側延出部２８を有している。
本体部２０の室内側寄りに連結部６ａ（軸６０）が設けてある。
本体部２０の面外方向の中間部に方立係止片２９が設けてある。
隣接した縦枠２ａ−１の本体部２０の方立係止片２９よりも室外側寄り、つまり室外側寄り間はシール材３０でシールしてある。
【００５１】
方立８は、面外方向に向かう本体部８０と、本体部８０の室内側端に設けた面内方向に向かう室内側部８１とで逆Ｔ字形状で、室内側部８１の面内方向両端部に係止受片８２が面外方向の室外側に向けて有する。
方立８は、本体部８０の室外側部に設けた一対の係止片８０ａを、隣接した縦枠２ａ−１の方立係止片２９にそれぞれ係止し、室内側部８１を室内側延出部２８に当接することで、隣接した縦枠２ａ−１を連結している。方立８の室内側部８１はカバー８３で覆われている。
【００５２】
第１ガラリ戸１−１の羽根ユニット３と第２ガラリ戸１−２の羽根ユニット３の隣接した縦のアタッチメント４−１，４−１は、ホロー４１ｅを有した室内側部４１と、板状の室外側部４２を有している。
室内側部４１の外側壁４１ｂに連結部６ｂ（溝６５）が設けてある。
室内側部４２に羽根５が取り付けてあり、羽根５の面外方向の中間とシール材３０は面外方向に同一位置である。
【００５３】
このように、隣接した縦枠２ａ−１間をシールするシール材３０と、被連結部６ａ、連結部６ｂより成る連結機構６は面外方向に離隔し、シール材３０は室外側で、連結機構６は室内側であるから、連結機構６とシール材３０が干渉することがない。
これにより、隣接した縦枠２ａ−１は板状で、第１ガラリ戸１−１と第２ガラリ戸１−２との連窓部の面内方向の寸法は小さいから、連窓部の室外側の見栄えが良いものとなる。
【００５４】
図１２、図１３に示すガラリ戸１は、方立８で左右の枠体２を連結した連窓タイプであるが、上下の枠体を連結枠材である無目で連結した段窓タイプのガラリ戸とすることができる。
【００５５】
本発明の実施形態は、複数の平板状の羽根５を連結したブラインドタイプと呼ばれる羽根ユニット３であるが、中空部を備えた複数の羽根を連結したルーバータイプであってもよく、羽根の形状は問わない。
【符号の説明】
【００５６】
１…ガラリ戸、２…枠体、２ａ…縦枠（羽根ユニット連結枠材）、３…羽根ユニット、４…縦のアタッチメント（アタッチメント）、５…羽根、６…連結機構、６ａ…被連結部、６ｂ…連結部、３０…シール材、６０…軸、６３…鍔部、６５…溝、６８…切欠部。
【図１】
2015194029.tif 000003
【図２】
2015194029.tif 000004
【図３】
2015194029.tif 000005
【図４】
2015194029.tif 000006
【図５】
2015194029.tif 000007
【図６】
2015194029.tif 000008
【図７】
2015194029.tif 000009
【図８】
2015194029.tif 000010
【図９】
2015194029.tif 000011
【図１０】
2015194029.tif 000012
【図１１】
2015194029.tif 000013
【図１２】
2015194029.tif 000014
【図１３】
2015194029.tif 000015